(57)【要約】【課題】複数の送出サーバーを含む送出サーバーシステムから複数のスタジオに選択的に素材を出力する素材送出システムで、ユーザがスタジオと送出サーバーとの対応関係の設定変更を簡単に行い得るようにし、また、ユーザを煩わせることなくスタジオと送出サーバーの接続を間違いなく行い得るようにする。【解決手段】制御システム１１０は、各スタジオで使用する送出グループをユーザが複数の送出グループから選択して設定するためのユーザインタフェース部（キーボード１１１、ＬＣＤパネル１１２、タッチパネル１１３）を備える。制御システム１１０は、支援システム１２０またはサーバーシステム１３０から使用スタジオ情報が通知されるとき、メモリ部１１０ａに保持されている、ユーザインタフェース部で設定されたスタジオと送出グループとの対応関係に基づいてルータ１４０を制御し、当該スタジオに対応する送出グループを自動的に接続する。【選択図】図１
2010161619.tif 000002
【特許請求の範囲】
【請求項１】
素材を送出する送出サーバーを含む送出グループを複数有する送出サーバーシステムと複数のスタジオとの間に配置され、上記複数のスタジオのそれぞれに上記複数の送出グループのいずれかを接続するためのルータの接続動作を制御する接続制御装置であって、
上記複数のスタジオのそれぞれで使用する上記送出グループをユーザが上記複数の送出グループから選択して対応関係を設定するユーザインタフェース部と、
上記ユーザインタフェース部で設定された上記スタジオと上記送出グループとの対応関係情報を保持する設定保持部と、
上記設定保持部に保持されている上記スタジオと上記送出グループとの対応関係情報に基づいて、対応する上記スタジオおよび上記送出グループが接続されるように上記ルータを制御する接続制御部
を備える接続制御装置。
【請求項２】
上記ユーザインタフェース部は、該ユーザインタフェース部で設定された上記スタジオと上記送出グループとの対応関係を表示する表示部を有する
請求項１に記載の接続制御装置。
【請求項３】
上記表示部には、表示マスが、一方の軸をスタジオ、他方の軸を送出グループとしてマトリクス表示され、
上記対応関係にある上記スタジオと上記送出グループとが交差する上記表示マスを着目表示マスとするとき、該着目表示マスは他の表示マスとは異なる表示態様とされる
請求項２に記載の接続制御装置。
【請求項４】
上記着目表示マスのうち、上記ルータにおいて実際に接続されている上記スタジオと上記送出グループとの対応関係を示す着目表示マスは、他の着目表示マスとは異なる表示態様とされる
請求項３に記載の接続制御装置。
【請求項５】
上記ユーザインタフェース部は、上記表示部による表示画面上の位置を指定する位置指定手段を有し、
ユーザは、上記位置指定手段により、対応させる上記スタジオと上記送出グループとが交差する上記表示マスを指定することで、上記スタジオと上記送出グループとの対応関係を設定する
請求項３に記載の接続制御装置。
【請求項６】
上記位置指定手段は、上記表示画面上に配置されたタッチパネルを用いて構成されている
請求項５に記載の接続制御装置。
【請求項７】
素材を送出する送出サーバーを含む送出グループを複数有する送出サーバーシステムと複数のスタジオとの間に配置され、上記複数のスタジオのそれぞれに上記複数の送出グループのいずれかを接続するためのルータの接続動作を制御する接続制御方法であって、
上記複数のスタジオのそれぞれで使用する上記送出グループを上記複数の送出グループから選択して対応関係を設定する対応関係設定ステップと、
上記対応関係設定ステップで設定された上記スタジオと上記送出グループとの対応関係に基づいて、対応する上記スタジオおよび上記送出グループが接続されるように上記ルータを制御する接続制御ステップ
を備える接続制御方法。
【請求項８】
素材を送出する送出サーバーを含む送出グループを複数有する送出サーバーシステムと、
上記送出サーバーシステムと複数のスタジオとの間に配置され、上記複数のスタジオのそれぞれに上記複数の送出グループのいずれかを接続するためのルータと、
上記ルータの接続動作を制御する接続制御装置を備え、
上記接続制御装置は、
上記複数のスタジオのそれぞれで使用する上記送出グループをユーザが上記複数の送出グループから選択して対応関係を設定するユーザインタフェース部と、
上記ユーザインタフェース部で設定された上記スタジオと上記送出グループとの対応関係情報を保持する設定保持部と、
上記設定保持部に保持されている上記スタジオと上記送出グループとの対応関係情報に基づいて、対応する上記スタジオおよび上記送出グループが接続されるように上記ルータを制御する接続制御部を有する
素材送出システム。
【発明の詳細な説明】
【技術分野】
【０００１】
この発明は、接続制御装置、接続制御方法および素材送出システムに関し、特に、送出サーバーを含む送出グループを複数有する送出サーバーシステムと複数のスタジオとの間に配置されるルータを制御するための接続制御装置等に関する。
【背景技術】
【０００２】
一般に、放送番組の送出は、例えばニュース番組を例にとって説明すると、まず、案出された番組イメージから項目、送出順、項目構成（映像、コンピュータ・グラフィク，文字スーパーなど）、ＶＴＲ仕上がり時間、担当者等が決められ、この決定された事項に沿って、デスク担当者がデータを入力して、あるいは手書きで１つの番組項目表と項目毎の項目構成表を作り上げる。
【０００３】
デスク担当者によって作成された番組項目表と項目毎の項目構成表に基づいて、取材および取材結果に基づいての原稿（取材原稿）の作成ならびに取材テープの編集が行なわれ、同時にコンピュータ・グラフィクおよび文字スーパーの作成等も行なわれる。そして、取材原稿がアナウンサにまわされ、編集テープが送出用の機器である、例えばＶＴＲや多数のビデオカセットを収容できるビデオカセットチェンジャ等にセットされ、さらにコンピュータ・グラフィックおよび文字スーパーの各データがそれぞれＣＧ装置および文字スーパー出力装置に入力されることになる。
【０００４】
並行して上記番組項目表と項目毎の項目構成表に基づいて、素材の送出開始時刻、送出終了時刻が設定された、オンエア用の番組進行表（一般に、キューシート（Cue Sheet）と称されている）が作成される。このキューシートは、専用のデータ処理プログラムによって電子的に作成され、送出コンソール（操作卓）のモニタに表示される。そして、このキューシートに基づいて、送出サーバーから素材（映像素材、音声素材）の送出が行われて、番組が進行される（例えば、特許文献１参照）。
【先行技術文献】
【特許文献】
【０００５】
【特許文献１】特開２００１−１３６１３７号公報
【発明の概要】
【発明が解決しようとする課題】
【０００６】
規模の大きなテレビ放送局では、番組を制作するためのスタジオを複数保有しており、ライブの放送と番組収録とで使い分けをしている。近年は、多チャンネル化が加速する方向にあり、複数のライブ番組を同時に放送するニーズが高まっている。この要望に対応するため、番組で使う素材（映像素材、音声素材）を管理する送出サーバー（オンエアサーバー）を複数使用するシステムが考えられる。
【０００７】
この場合、スタジオと送出サーバーとの対応関係の設定および変更をユーザが簡単に行うことができれば便利である。また、この場合、スタジオと送出サーバーの接続が、ユーザを煩わせることなく、間違いなく行われれば便利である。なお、従来の素材送出システムは、スタジオと送出サーバーを対で構成するか、または、ひとつの送出サーバーを複数のスタジオでシェアする構成であった。
【０００８】
この発目の目的は、ユーザがスタジオと送出サーバーとの対応関係の設定変更を簡単に行い得るようにすることにある。また、この発明の目的は、ユーザを煩わせることなくスタジオと送出サーバーの接続を間違いなく行い得るようにすることにある。
【課題を解決するための手段】
【０００９】
この発明の概念は、
素材を送出する送出サーバーを含む送出グループを複数有する送出サーバーシステムと複数のスタジオとの間に配置され、上記複数のスタジオのそれぞれに上記複数の送出グループのいずれかを接続するためのルータの接続動作を制御する接続制御装置であって、
上記複数のスタジオのうち所定のスタジオで使用する上記送出グループをユーザが上記複数の送出グループから選択して対応関係を設定するためのユーザインタフェース部と、
上記ユーザインタフェース部で設定された上記スタジオと上記送出グループとの対応関係情報を保持する設定保持部と、
上記設定保持部に保持されている上記スタジオと上記送出グループとの対応関係情報に基づいて、対応する上記スタジオおよび上記送出グループが接続されるように上記ルータを制御する接続制御部
を備える接続制御装置にある。
【００１０】
この発明の接続制御装置により、送出サーバーシステムと複数のスタジオとの間に配置されるルータの接続動作が制御される。送出サーバーシステムは、複数の送出グループを有する構成とされ、各送出グループには素材を送出する送出サーバーが含まれている。ルータにより、複数のスタジオのそれぞれに、複数の送出グループのいずれかが接続される。
【００１１】
接続制御装置には、複数のスタジオのそれぞれで使用する送出グループをユーザが複数の送出グループから選択して対応関係を設定するためのユーザインタフェース部が備えられる。このユーザインタフェース部により、スタジオ（スタジオサブ）と送出グループとの対応関係が設定される。このユーザインタフェース部により設定されたスタジオと送出グループとの対応関係の情報は、設定保持部により保持される。このユーザインタフェース部が備えられていることで、ユーザはスタジオと送出サーバーとの対応関係の設定変更を簡単に行うことができる。
【００１２】
また、接続制御装置には、ユーザインタフェース部で設定されたスタジオと送出グループとの対応関係の情報に基づいて、対応するスタジオおよび送出グループが接続されるようにルータを制御する接続制御部が備えられる。このようにルータによるスタジオと送出グループとの接続は接続制御部の制御のもと自動的に行われる。そのため、ユーザを煩わせることなく、間違いなく接続を行うことができる。
【００１３】
この発明において、例えば、ユーザインタフェース部は、このユーザインタフェース部で設定されたスタジオと送出グループとの対応関係を表示する表示部を有する、ようにしてもよい。この表示部を設けることで、ユーザは、設定されたスタジオと送出グループとの対応関係を視覚的に確認できる。
【００１４】
また、この発明において、例えば、表示部には、表示マスが、一方の軸をスタジオ、他方の軸を送出グループとしてマトリクス表示され、対応関係にあるスタジオと送出グループとが交差する表示マスを着目表示マスとするとき、この着目表示マスは他の表示マスとは異なる表示態様とされる、ようにしてもよい。例えば、異なる表示態様とは、色の違い、輝度の違い等である。このように着目表示マスの表示態様をその他の表示マスとは異なるようにして、スタジオと送出グループの対応関係を視覚的に表示することで、ユーザは、設定されたスタジオと送出グループとの対応関係を容易に認識できる。
【００１５】
また、この発明において、例えば、着目表示マスのうち、ルータにおいて実際に接続されているスタジオと送出グループとの対応関係を示す着目表示マスは、他の着目表示マスとは異なる表示態様とされる、ようにしてもよい。これにより、対応関係が設定されたスタジオと送出グループとが、実際に接続状態にあるか否かを、ユーザは、視覚的に容易に判断できる。
【００１６】
また、この発明において、例えば、ユーザインタフェース部は、表示部による表示画面上の位置を指定する位置指定手段を有し、ユーザは、位置指定手段により、対応させるスタジオと送出グループとが交差する表示マスを指定することで、スタジオと送出グループとの対応関係を設定する、ようにしてもよい。例えば、位置指定手段は、表示画面上に配置されたタッチパネルを用いて構成される。
【００１７】
このように、対応させるスタジオと送出グループとが交差する表示マスを指定して、スタジオと送出グループとの対応関係を設定する構成とすることで、ユーザはスタジオと送出グループとの対応関係を容易に設定あるいは変更できる。特に、位置指定手段が表示画面上に配置されたタッチパネルである場合には、ユーザは、対応させるスタジオと送出グループとが交差する表示マスの部分を押圧操作するだけでよい。
【発明の効果】
【００１８】
この発明によれば、ユーザが複数のスタジオのそれぞれで使用する送出グループを複数の送出グループから選択して対応関係を設定可能とし、設定された対応関係に基づいて、対応するスタジオおよび送出グループが接続されるようにルータを制御するものであり、ユーザはスタジオと送出サーバーとの対応関係の設定変更を簡単に行うことができ、またスタジオと送出サーバーの接続を、ユーザを煩わせることなく間違いなく行うことができる。
【図面の簡単な説明】
【００１９】
【図１】この発明の実施の形態としての素材送出システムの構成例を示すブロック図である。
【図２】送出ＰＬＣ制御システムのＬＣＤパネルに表示される操作画面の一例を示す図である。
【図３】ＬＣＤパネルに表示される操作画面操作画面とメンテナンス画面との切り替えを説明するための図である。
【図４】送出ＰＬＣ制御システムのメモリ部に保持される、スタジオと送出グループとの対応関係情報の一例を示す図である。
【図５】番組オンエアの前に行われる事前動作を説明するためのシーケンス図である。
【図６】送出支援システムによる番組オンエアの動作を説明するためのシーケンス図である。
【図７】通常使用する送出グループに異常が発生した場合における、送出支援システムによる番組オンエアの動作を説明するためのシーケンス図である。
【図８】送出サーバーシステムによる番組オンエアの動作を説明するためのシーケンス図である。
【図９】通常使用する送出グループに異常が発生した場合における、送出サーバーシステムによる番組オンエアの動作を説明するためのシーケンス図である。
【発明を実施するための形態】
【００２０】
以下、発明を実施するための形態（以下、「実施の形態」とする）について説明する。なお、説明は以下の順序で行う。
１．実施の形態
２．変形例
【００２１】
＜１．実施の形態＞
［素材送出システムの構成例］
図１は、実施の形態としての素材送出システム１００の構成例を示している。この素材送出システム１００は、送出ＰＬＣ（Programmable Logic Controller）制御システム１１０と、送出支援システム１２０と、送出サーバーシステム１３０と、ルータ１４０を有している。この素材送出システム１００は、送出サーバーシステム１３０に蓄積されている素材（映像素材、音声素材）を、複数のスタジオ、この実施の形態においてはスタジオＳＴ１〜ＳＴ６に出力する。
【００２２】
送出ＰＬＣ制御システム１１０は、送出支援システム１２０、送出サーバーシステム１３０およびルータ１４０の動作を制御する。この送出ＰＬＣ制御システム１１０には、ユーザインフェース部として、キーボード１１１およびＬＣＤ（Liquid Crystal Display）パネル１１２が接続されている。
【００２３】
ＬＣＤパネル１１２の画面上には、位置指定手段を構成する、タッチパネル１１３が配置されている。ユーザは、タッチパネル１１３を、指で直接触れるか、あるいはペンで触れるかして、画面上の位置を指定できる。このタッチパネル１１３からの位置指定信号は送出ＰＬＣ制御システム１１０に供給される。
【００２４】
送出支援システム１２０は、ユーザが番組項目情報、構成情報を入力することで番組進行表（キューシート）を作成し、この番組進行表をプレイリストとして、送出サーバーシステム１３０に供給する。また、送出支援システム１２０は、ユーザの操作により番組のプレイリストをオンエア起動する機能を有している。
【００２５】
送出サーバーシステム１３０は、複数の送出グループ、この実施の形態においては、送出グループ１〜４（ＧＰ１〜ＧＰ４）を有している。各送出グループは、素材（映像素材、音声素材）を送出する送出サーバーと、この送出サーバーを初めとしてグループ内の各部の動作を制御するプレイアウトコントローラを含んでいる。
【００２６】
ルータ１４０は、送出サーバーシステム１３０とスタジオＳＴ１〜ＳＴ６との間に配置されている。このルータ１４０は、送出ＰＬＣ制御システム１１０の制御の下、スタジオＳＴ１〜ＳＴ６のそれぞれに、送出サーバーシステム１３０内の送出グループ１〜４のいずれかを接続する。このルータ１４０においては、映像、音声のデータ系（ＳＤＩ）の切り替えが行われる他に、スタジオへの素材名、尺情報、ＮＥＸＴタリー信号の送信等に使用される制御系（ＲＳ−４２２）の切り替えも行われる。
【００２７】
ルータ１４０の入力固定ポート１４０-i1〜１４０-i4にはそれぞれ送出サーバーシステム１３０の送出グループ１〜４の出力側が接続されている。また、このルータ１４０の出力固定ポート１４０-o1〜１４０-o6にはそれぞれスタジオＳＴ１〜ＳＴ６が接続されている。どのスタジオにどの送出グループを接続するかは、ユーザが、送出ＰＬＣ制御システム１１０に接続されているユーザインタフェース部で設定でき、さらには変更できる。この場合、ユーザは、ＬＣＤパネル１１２に表示される操作画面２００を用いて、スタジオと送出グループとの対応関係を設定できる。
【００２８】
［ＬＣＤパネル上の操作画面］
ここで、ＬＣＤパネル１１２の表示画面に表示される操作画面２００について説明する。図２は、操作画面２００の一例を示している。この操作画面２００の左上の角部分には、アクティブ（ＡＣＴＩＶＥ）釦２０１が配置されている。このアクティブ釦２０１は、パネル操作の有効／無効を切り替える釦である。ユーザは、このアクティブ釦２０１を押すことで、有効または無効を、交互に切り替えることができる。このアクティブ釦２０１の点灯時には、パネル面の全釦操作が可能となる。図示の例では、アクティブ釦２０１が点灯している状態を示している。
【００２９】
また、操作画面２００の左上部分には、「送出支援システム選択状態表示」２０２が配置されている。図１の説明では省略したが、送出支援システム１２０と送出ＰＬＣ制御システム１１０の間のインタフェース接続の系として１系と２系が備えられており、二重化されている。これらの系のうち、インタフェース機能の動作側を、アクティブ動作とする。１系がアクティブ動作の場合には、「支援（ＭＡＩＮ）」が緑色点灯し、逆に２系がアクティブ動作の場合には、「支援２（ＳＵＢ）」が緑色点灯する。
【００３０】
また、操作画面２００の左上部分には、「カレント自動選択ＲＥＭＯＴＥ状態表示」２０３が配置されている。この表示２０３は、送出支援システム１２０および送出サーバーシステム１３０の番組起動時に、自動的にカレントサーバーグループ（カレントサーバーＧＰ）に割当てる（接続する）か否かの制御状態（ON/OFF）を表示する。青点灯の場合には、自動割当てオン（ＯＮ）状態を示す。通常運用時は、この状態である。消灯の場合には、自動割当てオフ（ＯＦＦ）状態を示す。このオンオフの設定は、後述するメンテナンス（Maintenance）画面で変更できる。
【００３１】
また、操作画面２００の右下の角部分には、メンテナンス（Maintenance）釦２０４が配置されている。このメンテナンス釦２０４は、メンテナンス画面３００に移動する釦である。このメンテナンス釦２０４が、例えば３秒以上長押しされて離されたときに、図３に示すように、操作画面２００からメンテナンス画面３００に移動する。なお、メンテナンス画面３００の右下の角部分には、操作画面２００に戻るためのメイン操作画面釦３０１が配置されている。
【００３２】
また、操作画面２００の右上部分には、「送出サーバーＯＡＳ１／ＯＡＳ２切り替え操作部」２０５が配置されている。この操作部２０５には、イネーブル（ＥＮＡＢＬＥ）釦２０６、ＯＡＳ１／ＯＡＳ２切り替え釦２０７、テーク（ＴＡＫＥ）釦２０８、接続スタジオサブ表示２０９が含まれている。
【００３３】
イネーブル釦２０６は、ＯＡＳ１／ＯＡＳ２切り替え操作を送出グループごとに有効/無効にする釦である。このイネーブル釦２０６は、押されることで、点灯、消灯を繰り返す。点灯時には切りえ操作が有効になり、消灯時には切り替え操作が無効になる。テーク釦２０８が押されて切り替えが確定しても、このイネーブル釦２０６の状態は維持される。図示の例は、送出グループ３（ＧＰ３）に対応したイネーブル釦２０６が点灯している状態を示している。
【００３４】
ＯＡＳ１／ＯＡＳ２切り替え釦２０７は、送出グループごとに、ＯＡＳ１（ＭＡＩＮ）またはＯＡＳ２（ＳＵＢ）のどちらの送出サーバーを使用するかを選択する釦である。この切り替え釦２０７は、押されることで点滅し、その後にテーク釦２０８が押されることで、確定される。ＯＡＳ１が確定された場合は、切り替え釦「OAS1(MAIN)」２０７が緑色に点灯し、ＯＡＳ２が確定された場合は、切り替え釦「OAS1(SUB」２０７がアンバー色（琥珀色）に点灯する。
【００３５】
このＯＡＳ１／ＯＡＳ２切り替え釦２０７の操作で、映像、音声のデータ系（ＳＤＩ）および制御系（ＲＳ−４２２）のクロスポイントが制御され、ＯＡＳ１／ＯＡＳ２が切り替わる。図示の例は、送出グループ１（ＧＰ１）、送出グループ２（ＧＰ２）、送出グループ４（ＧＰ４）ではＯＡＳ１が確定され、送出グループ３（ＧＰ３）ではＯＡＳ２が確定されている状態を示している。
【００３６】
テーク釦２０８は、ＯＡＳ１／ＯＡＳ２切り替えを確定する釦である。切り替え釦「OAS1(MAIN)」２０７あるいは切り替え釦「OAS2(SUB)」２０７が選択されて点滅状態になると、テーク釦２０８は押下可能となって点灯する。切り替え釦２０７の操作から５秒以内にこのテーク釦２０８が押されることで、切り替えが確定する。５秒以上経過すると、選択操作は無効になり、元の状態に戻る。
【００３７】
接続スタジオサブ表示２０９は、送出グループごとに、割り当てられている（対応関係が設定されている）スタジオサブ（スタジオ）を表示する。使用していない場合は、「ＯＦＦ」と表示される。スタジオサブを表示しているときに、そのスタジオサブからのスタジオＯＡタリーが入っている場合は、赤色点灯する。図示の例では、送出グループ１（ＧＰ１）に割り当てられたスタジオサブ（スタジオ）ＳＴ１からスタジオＯＡタリーが入っており、送出グループ１（ＧＰ１）に対応した接続スタジオサブ表示２０９が赤色点灯している状態を示している。
【００３８】
また、操作画面２００の下部分には、「サーバーＧＰ割り当て操作部」２１０が配置されている。ユーザは、この操作部２１０により、各スタジオでそれぞれ使用する送出グループを、複数の送出グループから選択して設定できる。つまり、ユーザは、この操作部２１０により、各スタジオに対して、複数の送出グループのいずれかを割り当てることができる。
【００３９】
この操作部２１０には、スタジオサブＯＡタリー表示２１１、支援システム番組起動表示２１２、サーバーシステム番組起動表示２１３、カレント変更モード釦２１４、強制カレント釦２１５が含まれている。さらに、この操作部２１０には、割り当て状態表示部２１６、テーク（ＴＡＫＥ）釦２１７が含まれている。
【００４０】
スタジオサブＯＡタリー表示２１１は、各スタジオサブ（スタジオ）からスタジオＯＡタリー情報を受け取って表示する。タリーオン（ＯＮ）のときは赤色に点灯する。図示の例は、スタジオＳＴ１からスタジオＯＡタリー情報を受け取っており、スタジオＳＴ１の表示が赤色点灯している状態を示している。
【００４１】
支援システム番組起動表示２１２は、スタジオごとに、送出支援システム１２０から番組起動ステータスを受け取って表示する。番組起動したときは赤色に点灯する。図示の例は、スタジオＳＴ１を使用する番組の起動ステータスを送出支援システム１２０から受け取っており、スタジオＳＴ１に対応した支援表示が赤色点灯している状態を示している。
【００４２】
サーバーシステム番組起動表示２１３は、スタジオごとに、送出サーバーシステム１３０から番組起動ステータスを受け取って表示する。番組起動したときは赤色に点灯する。図示の例は、スタジオＳＴ１，ＳＴ３を使用する番組の起動ステータスを送出サーバーシステム１３０から受け取っており、スタジオＳＴ１，ＳＴ３に対応した支援表示が赤色点灯している状態を示している。
【００４３】
カレント変更モード釦２１４は、スタジオごとに、カレントサーバーＧＰ（使用する送出グループ）の変更モード/表示モード（通常状態）を切り替える釦である。このカレント変更モード釦２１４が押されることで、モードの切り替えが行われる。このカレント変更モード釦２１４の点灯により、変更モードにあることが示される。また、このカレント変更モード釦２１４の消灯により、表示モードにあることが示される。
【００４４】
番組起動、または強制カレント釦２１５の操作で、スタジオとカレントサーバーＧＰが接続されている場合には、変更モードにならない。また、変更モードにおいて送出グループの割り当てが確定されると、自動で表示モードに移行する。図示の例は、スタジオＳＴ５に対応してカレント変更モード釦２１４が押されて変更モードにあり、そのカレント変更モード釦２１４が点灯している状態を示している。
【００４５】
強制カレント釦２１５は、強制的にスタジオに対して、カレントサーバーＧＰを接続する釦である。この強制カレント釦２１５が例えば３秒間押し続けられることで、割り当て（接続）、または解除が行われる。強制接続中、この強制カレント釦２１５は緑色に点灯する。
【００４６】
なお、同一のサーバーＧＰを複数のスタジオ（スタジオサブ）に接続することはできない。例えば、スタジオＳＴ４に送出グループＧＰ３が接続されている場合、スタジオＳＴ３に対応した強制カレント釦２１５を押したとしても、スタジオＳＴ３に送出グループＧＰ３を接続することはできない。また、強制カレント釦２１５の押し下げで、あるスタジオにカレントサーバーＧＰが接続されている状態で、そのスタジオを使用する番組が起動した場合には、その接続状態は維持される。一方、強制カレント釦２１５の押し下げで、あるスタジオにカレントサーバーＧＰが接続されている状態で、そのスタジオを使用する番組が終了した場合にも、その接続状態は維持される。
【００４７】
割り当て状態表示部２１６には、縦軸（一方の軸）をスタジオ（スタジオサブ）ＳＴ１〜ＳＴ５、横軸（他方の軸）を送出グループＧＰ１〜ＧＰ４として、表示マス２１６ａがマトリクス表示される。
【００４８】
あるスタジオのカレント変更モード釦２１４が押されてカレントサーバーＧＰの変更モードになると、そのスタジオに対応した行の表示マス２１６ａのうち、選択可能な送出グループに対応した表示マス２１６ａに、カレントサーバーＧＰ変更釦２１８が表示される。図示の例は、スタジオＳＴ１のカレント変更モード釦２１４が押されて変更モードになった状態を示しており、送出グループＧＰ１，ＧＰ２，ＧＰ３に対応した表示マス２１６ａにカレントサーバーＧＰ変更釦２１８が表示されている。カレントサーバーＧＰ変更釦２１８は、カレントサーバーＧＰ（使用する送出グループ）を変更する釦である。
【００４９】
ここで、ユーザが、所定のスタジオで使用する送出グループを設定、あるいは変更する場合の操作手順を説明する。まず、ユーザは、上述したように所定のスタジオに対応したカレント変更モード釦２１４の押し下げ操作を行って、当該所定のスタジオに対応した行の表示マス２１６ａに、カレントサーバーＧＰ変更釦２１８を表示させる。
【００５０】
次に、ユーザは、複数のカレントサーバーＧＰ変更釦２１８のうち、使用する送出グループに対応したカレントサーバーＧＰ変更釦２１８の押し下げ操作を行う。このように押し下げ操作が行われたカレントサーバーＧＰ変更釦２１８は、点滅状態となる。次に、ユーザは、テーク釦２１７を押し下げて、確定操作を行う。この確定操作により、点滅状態にあったカレントサーバーＧＰ変更釦２１８は、青色に点灯する。図示の例は、スタジオＳＴ１で使用するカレントサーバーＧＰの変更モードにおいて、送出グループＧＰ２に対応したカレントサーバーＧＰ変更釦２１８が押され、このカレントサーバーＧＰ変更釦２１８が青色に点灯している状態を示している。
【００５１】
次に、ユーザは、当該所定のスタジオに対応したカレント変更モード釦２１４の押し下げ操作を行って、カレントサーバーＧＰの変更モードから、その表示モードに戻す。このようにカレントサーバーＧＰの表示モードに戻されることで、当該所定のスタジオに対応した行の表示マス２１６ａに表示されていたカレントサーバーＧＰ変更釦２１８は消えるが、青色に点灯していたカレントサーバーＧＰ変更釦２１８の表示位置の表示マス２１６ａは青色に点灯した状態となる。
【００５２】
このように表示マス２１６ａが青色に点灯された状態となることで、ユーザは、その表示マス２１６ａに対応したスタジオと送出グループに対応関係が設定されていることを、視覚的に認識可能となる。このように、あるスタジオとある送出グループに対応関係が設定されている場合、当該スタジオで使用される送出グループ（カレントサーバーＧＰ）として当該送出グループが選択されていることを意味する。
【００５３】
このように、ユーザは、所定のスタジオで使用する送出グループの設定（変更）を、対応させるスタジオと送出グループとが交差する表示マス２１６ａを指定する操作で行うことができる。なお、この実施の形態においては、その表示マス２１６ａに表示されたカレントサーバーＧＰ変更釦２１８を押し下げることで行っているが、その他の操作で当該表示マス２１６ａを指定することで行ってもよい。
【００５４】
なお、各釦を押し下げる操作は、上述したように、ＬＣＤパネル１１２の表示画面上に位置指定手段としてのタッチパネル１１３が配置されていることから、ユーザは、各釦の押し下げ操作を、該当する釦の上を押圧操作することで、簡単に行うことができる。
【００５５】
上述したように設定されたスタジオ（スタジオサブ）とそのスタジオで使用する送出グループ（カレントサーバーＧＰ）の対応関係の情報は、送出ＰＬＣ制御システム１１０が備えるメモリ部１１０ａに保持される。このメモリ部１１０ａは、設定保持部を構成している。図４は、メモリ部１１０ａに保持されている対応関係情報の一例を示している。図４の例においては、スタジオＳＴ１と送出グループＧＰ１、スタジオＳＴ２と送出グループＧＰ２、スタジオＳＴ３と送出グループＧＰ３が、対応関係にあることを示している。また、図４の例においては、スタジオＳＴ４と送出グループＧＰ３、スタジオＳＴ５と送出グループＧＰ２、スタジオＳＴ６と送出グループＧＰ４が、対応関係にあることを示している。
【００５６】
スタジオと送出グループの対応関係が設定されると、上述したように対応する表示マス２１６ａが青色に点灯した状態となる。しかし、この表示マス２１６ａは常に青色点灯状態にあるのではなく、番組起動、または強制カレント釦２１５の操作で、当該対応関係にあるスタジオと送出グループとが実際に接続状態となると、表示マス２１６ａの点灯色は青色からアンバー色に変わる。
【００５７】
図示の例では、スタジオＳＴ２と送出グループＧＰ２、およびスタジオＳＴ４と送出グループＧＰ３に関しては対応関係が設定されているが、接続状態にはなっておらず、これらの対応関係を示す表示マス２１６ａ-1が青色に点灯している状態を示している。また、図示の例では、スタジオＳＴ１と送出グループＧＰ１、およびスタジオＳＴ３と送出グループＧＰ３に関しては対応関係が設定され、しかも接続状態になっており、これらの対応関係を示す表示マス２１６ａ-2がアンバー色に点灯している状態を示している。
【００５８】
テーク釦２１７は、上述したように、カレントサーバーＧＰ変更釦２１８の操作を確定させる釦である。カレントサーバーＧＰ変更釦２１８が押されて点滅状態になると、このテーク釦２１７は押下可能となり点灯する。そして、カレントサーバーＧＰ変更釦２１８の押下から５秒以内に、このテーク釦２１７が押されることで、カレントサーバーＧＰ変更釦２１８の操作が確定される。この確定により、テーク釦２１７は消灯状態となる。
【００５９】
［番組オンエア動作］
図１に示す素材送出システム１００における番組オンエア時の動作について説明する。    「事前動作」
最初に、番組オンエアの前に行われる事前動作を、図５のシーケンス図を用いて説明する。
【００６０】
（ａ）送出ＰＬＣ制御システム１１０において、ユーザにより、ＬＣＤパネル１１２に表示される操作画面（図２参照）が利用されて、送出サーバーシステム１３０の送出グループ１〜５（ＧＰ１〜ＧＰ５）から各スタジオでそれぞれ使用する送出グループが選択される。この場合、各スタジオとそこで使用する送出グループとの対応関係が設定され、この対応関係の情報は送出ＰＬＣ制御システム１１０のメモリ部１１０ａに保持される（図４参照）。（ｂ）その後、送出ＰＬＣ制御システム１１０は、スタジオと送出グループとの対応関係情報を、送出支援システム１２０と、送出サーバーシステム１３０に通知する。
【００６１】
（ｃ）また、送出支援システム１２０は、送出ＰＬＣ制御システム１１０からスタジオと送出グループとの対応関係情報が通知された後、番組で使用予定の送出グループを記憶する。（ｄ）その後、送出支援システム１２０において、ユーザにより、番組の項目情報、構成情報が入力されて、プレイリスト（キューシート）が作成される。（ｅ）その後、送出支援システム１２０は、送出グループのポート数を使い、サーバー素材のチャネル分配を行う。（ｆ）その後、送出支援システム１２０は、送出サーバーシステム１３０の使用予定の送出グループに、プレイリストを通知する。
【００６２】
（ｇ）また、送出サーバーシステム１３０は、送出支援システム１２０からプレイリストの通知があった後、当該プレイリストに表示されているサーバー素材を、データベースから送出サーバーに登録する。
【００６３】
「送出支援システムによる番組オンエア」
次に、送出支援システム１２０による番組オンエアの動作を、図６のシーケンス図を用いて説明する。
【００６４】
（ａ）送出支援システム１２０において、ユーザにより、番組のプレイリストをオンエア起動する操作があると、（ｂ）送出支援システム１２０は、使用するスタジオの情報を、送出ＰＬＣ制御システム１１０に通知する。
【００６５】
（ｃ）また、送出ＰＬＣ制御システム１１０は、送出支援システム１２０から使用スタジオ情報が通知された後、ルータ１４０を制御して、使用スタジオとそのスタジオと対応関係にある送出グループ（カレントサーバーＧＰ）をつなぐ。例えば、スタジオＳＴ１と送出グループＧＰ１が対応関係にある場合、送出支援システム１２０から使用スタジオとしてスタジオＳＴ１が通知されたとき、送出ＰＬＣ制御システム１１０はスタジオＳＴ１と送出グループＧＰ１とをつなぐ。
【００６６】
このように送出ＰＬＣ制御システム１１０の制御のもと、ルータ１４０で使用スタジオとそのスタジオと対応関係にある送出グループ（カレントサーバーＧＰ）がつながれたとき、ルータ１４０から送出ＰＬＣ制御システム１１０に接続状態情報が送られてくる。
【００６７】
（ｄ）送出ＰＬＣ制御システム１１０は、ルータ１４０から接続状態情報が送られてきた後、スタジオで使用する送出グループを、送出支援システム１２０および送出サーバーシステム１３０に通知する。
【００６８】
（ｅ）また、送出支援システム１２０は、送出ＰＬＣ制御システム１１０からスタジオで使用する送出グループが通知された後、送出サーバーシステム１３０の当該通知された送出グループに、素材スタンバイを要求する。
【００６９】
（ｆ）また、送出サーバーシステム１３０において、送出支援システム１２０から素材スタンバイを要求された送出グループは、要求された素材をスタンバイする。これにより、スタンバイした素材はルータ１４０を通じて使用スタジオに出力される。
【００７０】
（ｇ）その後、送出支援システム１２０において、ユーザにより、番組のプレイリストをオンエア終了する操作があると、（ｈ）送出支援システム１２０は、番組の終了を、送出ＰＬＣ制御システム１１０に通知する。
【００７１】
（ｉ）また、送出ＰＬＣ制御システム１１０は、送出支援システム１２０から番組終了が通知された後、ルータ１４０を制御して、使用スタジオをＮＵＬＬポートにつなぎ、送出グループとの接続を断つ。（ｊ）その後、送出ＰＬＣ制御システム１１０は、スタジオと送出グループの切断を、送出支援システム１２０および送出サーバーシステム１３０に通知する。これにより、送出支援システム１２０による番組オンエアの一連の動作が終了する。
【００７２】
「送出支援システムによる番組オンエア（サーバー異常発生時）」
次に、通常使用する送出グループに異常が発生した場合における、送出支援システム１２０による番組オンエアの動作を、図７のシーケンス図を用いて説明する。
【００７３】
（ｘ）送出ＰＬＣ制御システム１１０において、ユーザにより、ＬＣＤパネル１１２に表示される操作画面（図２参照）が利用され、所定のスタジオに関して、通常使用する送出グループから別の送出グループに変更することが行われる。この変更は、上述したように、操作画面に表示されるカレント変更モード釦２１４、カレントサーバーＧＰ変更釦２１８およびテーク釦２１７等を操作することで行われる。
【００７４】
この所定のスタジオで使用する送出グループ（カレントサーバーＧＰ）の変更に伴って、送出ＰＬＣ制御システム１１０のメモリ部１１０ａに保持される対応関係情報も変更される。
【００７５】
（ｙ）その後、送出ＰＬＣ制御システム１１０は、変更後のスタジオと送出グループとの対応関係情報を、送出支援システム１２０と、送出サーバーシステム１３０に通知する。
【００７６】
（ｚ）また、送出支援システム１２０は、送出ＰＬＣ制御システム１１０から変更後のスタジオと送出グループとの対応関係情報が通知された後、この対応関係情報に基づいて、上述した事前動作（図５参照）で生成されたプレイリストの修正等を行う。例えば、番組で使用予定の送出グループの変更に伴って、サーバー素材のチャネル分配が新たに行われる。
【００７７】
なお、詳細説明は省略するが、図７におけるその後の動作は、図６に示す通常の送出支援システムによる番組オンエア動作と同じである。
【００７８】
「送出サーバーシステムによる番組オンエア」
次に、送出サーバーシステム１３０による番組オンエアの動作を、図８のシーケンス図を用いて説明する。
【００７９】
（ａ）送出サーバーシステム１３０において、ユーザにより、番組のプレイリストをオンエア起動する操作があると、（ｂ）送出サーバーシステム１３０は、使用するスタジオの情報を、送出ＰＬＣ制御システム１１０に通知する。
【００８０】
（ｃ）また、送出ＰＬＣ制御システム１１０は、送出サーバーシステム１３０から使用スタジオ情報が通知された後、ルータ１４０を制御して、使用スタジオとそのスタジオと対応関係にある送出グループ（カレントサーバーＧＰ）をつなぐ。例えば、スタジオＳＴ１と送出グループＧＰ１が対応関係にある場合、送出支援システム１２０から使用スタジオとしてスタジオＳＴ１が通知されたとき、送出ＰＬＣ制御システム１１０はスタジオＳＴ１と送出グループＧＰ１とをつなぐ。
【００８１】
このように送出ＰＬＣ制御システム１１０の制御のもと、ルータ１４０で使用スタジオとそのスタジオと対応関係にある送出グループ（カレントサーバーＧＰ）がつながれたとき、ルータ１４０から送出ＰＬＣ制御システム１１０に接続状態情報が送られてくる。
【００８２】
（ｄ）送出ＰＬＣ制御システム１１０は、ルータ１４０から接続状態情報が送られてきた後、スタジオで使用する送出グループを、送出サーバーシステム１３０に通知する。
【００８３】
（ｅ）また、送出サーバーシステム１３０において、送出ＰＬＣ制御システム１１０からスタジオで使用する送出グループが通知された後、通知された送出グループで、プレイリストに沿って、素材をスタンバイする。これにより、スタンバイした素材はルータ１４０を通じて使用スタジオに出力される。
【００８４】
（ｆ）その後、送出サーバーシステム１３０において、ユーザにより、番組のプレイリストをオンエア終了する操作があると、（ｇ）送出サーバーシステム１３０は、番組の終了を、送出ＰＬＣ制御システム１１０に通知する。
【００８５】
（ｈ）また、送出ＰＬＣ制御システム１１０は、送出サーバーシステム１３０から番組終了が通知された後、ルータ１４０を制御して、使用スタジオをＮＵＬＬポートにつなぎ、送出グループとの接続を断つ。（ｉ）その後、送出ＰＬＣ制御システム１１０は、スタジオと送出グループの切断を、送出支援システム１２０および送出サーバーシステム１３０に通知する。これにより、送出サーバーシステム１３０による番組オンエアの一連の動作が終了する。
【００８６】
「送出サーバーシステムによる番組オンエア（サーバー異常発生時）」
次に、通常使用する送出グループに異常が発生した場合における、送出サーバーシステム１３０による番組オンエアの動作を、図９のシーケンス図を用いて説明する。
【００８７】
（ｘ）送出ＰＬＣ制御システム１１０において、ユーザにより、ＬＣＤパネル１１２に表示される操作画面（図２参照）が利用され、所定のスタジオに関して、通常使用する送出グループから別の送出グループに変更することが行われる。この変更は、上述したように、操作画面に表示されるカレント変更モード釦２１４、カレントサーバーＧＰ変更釦２１８およびテーク釦２１７等を操作することで行われる。
【００８８】
この所定のスタジオで使用する送出グループ（カレントサーバーＧＰ）の変更に伴って、送出ＰＬＣ制御システム１１０のメモリ部１１０ａに保持される対応関係情報も変更される。
【００８９】
（ｙ）その後、送出ＰＬＣ制御システム１１０は、変更後のスタジオと送出グループとの対応関係情報を、送出支援システム１２０と、送出サーバーシステム１３０に通知する。
【００９０】
（ｚ）また、送出サーバーシステム１３０は、送出ＰＬＣ制御システム１１０から変更後のスタジオと送出グループとの対応関係情報が通知された後、この対応関係情報に基づいて、上述した事前動作（図５参照）で送出支援システム１２０から通知されたプレイリストの修正等を行う。例えば、番組で使用予定の送出グループの変更に伴って、サーバー素材のチャネル分配が新たに行われる。
【００９１】
なお、詳細説明は省略するが、図９におけるその後の動作は、図８に示す通常の送出サーバーシステムによる番組オンエア動作と同じである。
【００９２】
以上説明したように、図１に示す素材送出システム１００において、送出ＰＬＣ制御システム１１０には、各スタジオでそれぞれ使用する送出グループをユーザが複数の送出グループから選択して対応関係を設定するためのユーザインタフェース部（キーボード１１１、ＬＣＤパネル１１２、タッチパネル１１３）が備えられている。そのため、ユーザは、スタジオと送出サーバーとの対応関係の設定変更を簡単に行うことができる。
【００９３】
また、図１に示す素材送出システム１００において、送出ＰＬＣ制御システム１１０のＬＣＤパネル１１２に表示される操作画面には、表示マス２１６ａが、縦軸をスタジオ、横軸を送出グループとしてマトリクス表示されている。そして、対応させるスタジオと送出グループとが交差する表示マス２１６ａが指定されることで、スタジオと送出グループとの対応関係が設定される。そのため、ユーザはスタジオと送出グループとの対応関係を容易に設定あるいは変更できる。
【００９４】
この場合、ＬＣＤパネル１１２の表示画面上に位置指定手段としてのタッチパネル１１３が配置されていることから、表示マス２１６ａの指定を、当該表示マス２１６ａ（カレントサーバーＧＰ変更釦２１８）上を押圧操作することで、簡単に行うことができる。
【００９５】
また、図１に示す素材送出システム１００において、上述のマトリクス表示された表示マス２１６ａのうち、対応関係にあるスタジオと送出グループとが交差する表示マス２１６ａは点灯（青色あるいはアンバー色）され、他の表示マス２１６ａとは異なる表示態様とされる。そのため、ユーザは、設定されたスタジオと送出グループとの対応関係を容易に認識できる。
【００９６】
また、図１に示す素材送出システム１００において、上述の設定されたスタジオと送出グループとの対応関係を示す表示マス２１６ａのうち、ルータ１４０で実際に接続されているものと、そうでないものとで、点灯色が異なるようにされている。すなわち、接続されている対応関係を示す表示マス２１６ａはアンバー色で点灯され、接続されていない対応関係を示す表示マス２１６ａは青色で点灯される。したがって、ユーザは、対応関係が設定されたスタジオと送出グループとが、実際に接続状態にあるか否かを、視覚的に容易に判断できる。
【００９７】
また、図１に示す素材送出システム１００において、送出ＰＬＣ制御システム１１０は、送出支援システム１２０または送出サーバーシステム１３０から使用スタジオ情報が通知されるとき、メモリ部１１０ａに保持されている、ユーザインタフェース部で設定されたスタジオと送出グループとの対応関係に基づいて、ルータ１４０を制御して、対応するスタジオおよび送出グループを自動的に接続する。そのため、ユーザを煩わせることなく、間違いなく接続を行うことができる。
【００９８】
＜２．変形例＞
なお、上述実施の形態において、対応関係にあるスタジオと送出グループとが交差する表示マス２１６ａは点灯（青色あるいはアンバー色）され、他の表示マス２１６ａとは異なる表示態様とされる。このように対応関係にあるスタジオと送出グループとが交差する表示マス２１６ａと他の表示マス２１６ａとを異なる表示態様とするために、点灯、非点灯で表示する他、色、模様、あるいは文字等により表示態様を異ならせてもよい。これは、上述した、実際に接続されている対応関係を示す表示マス２１６ａと、接続されていない対応関係を示す表示マス２１６ａとを、区別する場合も同様である。
【産業上の利用可能性】
【００９９】
この発明は、ユーザはスタジオと送出サーバーとの対応関係の設定変更を簡単に行うことができ、またスタジオと送出サーバーの接続を、ユーザを煩わせることなく間違いなく行い得るものであり、複数の送出サーバーを含む送出サーバーシステムから複数のスタジオに選択的に素材を出力する素材送出システム等に適用できる。
【符号の説明】
【０１００】
１００・・・素材送出システム、１１０・・・送出ＰＬＣ制御システム、１１０ａ・・・メモリ部、１１１・・・キーボード、１１２・・・ＬＣＤパネル、１１３・・・タッチパネル、１２０・・・送出支援システム、１３０・・・送出サーバーシステム、１４０・・・ルータ、１４０-i1〜１４０-i4・・・入力固定ポート、１４０-o1〜１４０-o6・・・出力固定ポート、２００・・・操作画面、２０１・・・アクティブ釦、２０２・・・送出支援システム選択状態表示、２０３・・・カレント自動選択ＲＥＭＯＴＥ状態表示、２０４・・・メンテナンス釦、２０５・・・送出サーバーＯＡＳ１／ＯＡＳ２切り替え操作部、２０６・・・イネーブル釦、２０７・・・ＯＡＳ１／ＯＡＳ２切り替え釦、２０８・・・テーク釦、２０９・・・接続スタジオサブ釦、２１０・・・サーバーＧＰ割り当て操作部、２１１・・・スタジオサブＯＡタリー表示、２１２・・・支援システム番組起動表示、サーバーシステム番組起動表示、２１４・・・カレント変更モード釦、２１５・・・強制カレント釦、２１６・・・割り当て状態表示部、２１６ａ・・・表示マス、２１７・・・テーク釦、２１８・・・カレントサーバーＧＰ変更釦
【図１】
2010161619.tif 000003
【図２】
2010161619.tif 000004
【図３】
2010161619.tif 000005
【図４】
2010161619.tif 000006
【図５】
2010161619.tif 000007
【図６】
2010161619.tif 000008
【図７】
2010161619.tif 000009
【図８】
2010161619.tif 000010
【図９】
2010161619.tif 000011